(57)【要約】【課題】熱機関の燃費を容易に改善できる燃費改善用シールを提供する。【解決手段】テラヘルツ波を放射する電磁波放射体２を備えた燃費改善用シールである。【選択図】図１
2017194046.tif 000002
【特許請求の範囲】
【請求項１】
テラヘルツ波を放射する電磁波放射体を備えたことを特徴とする燃費改善用シール。
【請求項２】
内燃機関のフューエルラインに貼り付けて用いられることを特徴とする請求項１に記載の燃費改善用シール。
【請求項３】
前記電磁波放射体は、
ガラスクロスと、
前記ガラスクロスに貼り付けられたアルミニウム箔とを備えたことを特徴とする請求項１又は請求項２に記載の燃費改善用シール。
【発明の詳細な説明】
【技術分野】
【０００１】
本発明は燃費改善用シールに関する。
【背景技術】
【０００２】
特許文献１には、陶器製の容器本体に、ケイ酸塩鉱物を含むスラリーが塗布された容器が開示されている。この容器は、収容された液体の酸化を抑制する。この効果を奏する原因は、ケイ酸塩鉱物から発生するテラヘルツ波であると推測される。
【先行技術文献】
【特許文献】
【０００３】
【特許文献１】特開２０１３−１４３３０号公報
【発明の概要】
【発明が解決しようとする課題】
【０００４】
従来、テラヘルツ波を照射することにより、前述したように液体の酸化抑制の効果があることは知られていたが、熱機関の燃費を改善する効果があることは知られていなかった。
【０００５】
本発明は前記事情に鑑みてなされたものであって、熱機関の燃費を改善できる燃費改善用シールを提供することを目的とする。
【課題を解決するための手段】
【０００６】
前記目的を達成するために本発明に係る一態様の燃費改善用シールは、テラヘルツ波を放射する電磁波放射体を備える。
【発明の効果】
【０００７】
本発明に係る燃費改善用シールは、熱機関又は熱機関の周辺部品に貼り付けるだけで、熱機関の燃費を容易に改善できる。
【図面の簡単な説明】
【０００８】
【図１】図１は、本発明に係る一実施形態の燃費改善用シールを備えたシール材の斜視図である。
【図２】図２は、同上のシール材の断面図である。
【図３】図３は、同上の燃費改善用シールをフューエルラインに貼り付けた状態を示した斜視図である。
【発明を実施するための形態】
【０００９】
図１及び図２に示す本実施形態の燃費改善用シール１は、熱機関の燃費改善に用いられる。本実施形態の燃費改善用シール１は、台紙４（剥離紙）に貼り付けられた状態で持ち運びがなされるシールであり、燃費改善用シール１と、台紙４とで、シール材５が構成される。
【００１０】
本実施形態の燃費改善用シール１は、テラヘルツ波を放射する電磁波放射体２で構成されている。図２に示すように、電磁波放射体２は、基材層２０と、表面層２１とを備えている。
【００１１】
本実施形態の電磁波放射体２は、難燃性が優れた帯状の金属箔テープであり、基材層２０がガラスクロスで構成され、表面層２１が基材層２０の一面の全体に亘って貼り付けられたアルミニウム箔で構成されている。
【００１２】
基材層２０の表面層２１とは反対側の面には、図示しない粘着剤が塗布されている。基材層２０が台紙４の一面に粘着剤を介して貼り付けられることで、電磁波放射体２は剥離可能に台紙４に取り付けられる。電磁波放射体２は、台紙４から剥がされた後、粘着剤が塗布された基材層２０が対象物に貼り付けられることで、対象物に取り付けられる。
【００１３】
電磁波放射体２は、所定の周波数のテラヘルツ波を対象物に照射する。ここで、テラヘルツ波とは、０．１ＴＨｚ以上１００ＴＨｚ以下の周波数を有する電磁波である。テラヘルツ波は、電波と光波の中間領域の波長であり、電波の性質である物質透過性を有し、さらに光波の性質である直進性を有する。テラヘルツ波の周波数は、多くの原子や分子の固有振動数とほぼ等しい。また、テラヘルツ波は、布、紙、木、プラスチック、陶磁器を透過しやすいが、金属や水は透過し難いという特性がある。
【００１４】
電磁波放射体２は、例えば以下の方法により所定の周波数のテラヘルツ波を放射するようになる。
【００１５】
第１の方法は、電磁波放射体２に対してテラヘルツ波を所定時間照射する方法である。電磁波放射体２に照射されるテラヘルツ波は、例えば、フェムト秒レーザー光を光伝導素子や光整流素子に照射するなど、電気回路を用いて発生させることができる。また、テラヘルツ波は、例えば、アルミニウム、シリコン、ゲルマニウム、セラミックス等に低周波電力を加えることにより発生させることができる。前記所定時間は、例えば２時間以上１２時間以下であり、電磁波放射体２の材質や形状などに応じて適宜決定される。なお、電磁波放射体２にテラヘルツ波を照射する際、周囲の温度は２０以上１００℃以下であることが好ましい。
【００１６】
電磁波放射体２からテラヘルツ波を発生させる第２の方法は、電磁波放射体２を構成する材料にテラヘルツ波を発生する物質を混合することである。テラヘルツ波を発生する物質としては、例えば深成岩であるケイ酸塩鉱物が挙げられる。ケイ酸塩化合物は例えば玄武岩や安山岩等である。
【００１７】
ケイ酸塩鉱物は、例えばパウダー状にされた上で活性炭が加えられ、このパウダーが無酸素状態の空間で１２００℃以上の温度で約十時間加熱し焼結された後、この焼結させた物質が砕かれてパウダー状にされる。そして、このパウダーが、基材層２０及び／又は表面層２１に混合されたり、基材層２０及び／又は表面層２１に塗布されたりすることにより、テラヘルツ波を放射する電磁波放射体２が製造される。
【００１８】
燃費改善用シール１によって燃費改善効果が得られる熱機関としては、例えばガソリンエンジンやディーゼルエンジンなどの内燃機関が挙げられる。燃費改善用シール１は、台紙４から剥がされた後、熱機関又は熱機関の周辺部品に貼り付けられて用いられる。
【００１９】
燃費改善用シール１を用いて自動車エンジンの燃費を改善する場合、燃費改善用シール１は、例えばフューエルライン（燃料ライン）、バッテリー、イグニッションコイル、エアーインレットホース、エアコンフレキシブルホース、あるいはラジエターアッパータンクなどに設けられる。図３には、フューエルタンクからインジェクターに燃料を供給するフューエルラインに燃費改善用シール１が貼り付けられた例が示されている。具体的に図２に示す燃費改善用シール１は、ゴム製のフューエルホース６に巻きつけられた状態で貼り付けられており、燃費改善用シール１はフューエルラインにおいてインジェクションノズルの近傍に位置している。
【００２０】
上述したように燃費改善用シール１が熱機関又はその周辺部品に設けられることで、熱機関の燃費が改善される。これは、燃費改善用シール１から照射されるテラヘルツ波によって燃料などの分子に微弱振動が与えられ、結果的に揮発性や燃料混合適正に寄与し、爆発力が向上するためと考えられる。
【００２１】
なお、燃費改善用シール１は、フューエルライン、バッテリー、イグニッションコイル、エアーインレットホース、エアコンフレキシブルホース、及びラジエターアッパータンクの中から選択された一つにだけ設けられてもよいし、フューエルライン、バッテリー、イグニッションコイル、エアーインレットホース、エアコンフレキシブルホース、及びラジエターアッパータンクの中から選択された複数箇所に設けられてもよい。また、燃費改善用シール１は、ボイラーなどを備えた外燃機関の燃費を改善する効果もあるため、外燃機関又はその周辺部品に貼り付けられてもよい。
【００２２】
また、燃費改善用シール１は、取付対象物の形状に沿って形が変形できるような材質と厚みを有すればよく、形状や材質は前記実施形態のシールに限定されない。また、この他、本実施形態の燃費改善用シール１は、適宜設計変更可能である。
【００２３】
次に燃費改善用シール１の燃費改善効果を試験結果に基づいて説明する。
【００２４】
燃費改善用シール１を試験用自動車に装置する前と装着した後に、アイドリング排出ガス試験を実施した。ガラスクロスと、ガラスクロスの一面に貼り付けられたアルミニウム箔とで構成された燃費改善用シール１とを用いた。燃費改善用シール１の装着箇所は、試験用自動車のフューエルパイプ、イグニッションコイル、エアコンフレキシブルホース（高圧側と低圧側）、エアーインレットダクト、バッテリー本体、およびラジエターアッパータンクである。
【００２５】
試験用自動車の仕様、試験に使用した計測機器を以下の表１及び表２に示し、試験結果を表３に示す。
【００２６】
【表１】
2017194046.tif 000003
【００２７】
【表２】
2017194046.tif 000004
【００２８】
【表３】
2017194046.tif 000005
【００２９】
表３に示すように、燃費改善用シール１装着後の炭化水素の排出量は、燃費改善用シール１装着前の炭化水素の排出量よりも少なくなっている。このことから、本実施例の燃費改善用シール１により、燃料の不完全燃焼が生じ難くなり、燃費が向上することがわかる。
【００３０】
また、この他、普通自動車や、ハイブリッド車、ディーゼルエンジンを備えた重機、ボイラーを備えた外燃機関などにおいても、燃費改善用シール１を装着して試験を行ったが、いずれにおいても炭化水素の発生量が抑制されて燃費改善の効果が得られ、また、トルクやパワーの向上、燃焼音の減少などの効果が得られた。
【００３１】
前記実施形態の燃費改善用シール１は、以下に示す第１の構成を有している。テラヘルツ波を放射する電磁波放射体２を備えている。
【００３２】
この第１の構成を有する燃費改善用シール１は、熱機関又は熱機関の周辺部品に貼り付けられ、これにより燃費改善用シール１から放射されたテラヘルツ波の効果により燃費が改善される。また、燃費改善用シール１は、熱機関又は熱機関の周辺部品に貼り付けるだけで、容易に施工できる。
【００３３】
また、前記実施形態の燃費改善用シール１は、以下に示す第２の構成を有している。この燃費改善用シール１は、第１の構成を有する燃費改善用シール１において以下に示す付加的な構成を有する。燃費改善用シール１は、内燃機関のフューエルラインに貼り付けて用いられる。
【００３４】
この第２の構成を有する燃費改善用シール１は、燃費改善用シール１からフューエルライン内の燃料に対して照射されたテラヘルツ波の効果により燃費が改善される。
【００３５】
また、前記実施形態の燃費改善用シール１は、以下に示す第３の構成を有している。この燃費改善用シール１は、第１又は第２の構成を有する燃費改善用シール１において以下に示す付加的な構成を有する。電磁波放射体２は、ガラスクロスと、ガラスクロスに貼り付けられたアルミニウム箔とを備えている。
【００３６】
この第３の構成を有する燃費改善用シール１は、難燃性が優れており、エンジンルームなどの高温になりやすい箇所にも貼り付けることができる。
【符号の説明】
【００３７】
１  燃費改善用シール
２  電磁波放射体
【図１】
2017194046.tif 000006
【図２】
2017194046.tif 000007
【図３】
2017194046.tif 000008